(57)【要約】【課題】長時間使用しても低導電性を維持可能な熱輸送システムを提供する。【解決手段】１〜３価のアルコールを含む熱輸送媒体が流れる熱輸送媒体流路１１を備える熱輸送システムにおいて、熱輸送媒体に溶存する酸素を吸着する酸素吸着部１５を設ける。酸素吸着部１５は、多孔性配位高分子からなる酸素吸着材１５ａを備える。多孔性配位高分子は、ヘテロ環を有する有機配位子及びシアノ基を有する有機配位子の少なくともいずれがを備える。酸素吸着部１５は、酸素吸着部１５内の圧力が所定値を上回った場合に、酸素吸着部１５の内部と外部とを連通させる圧力逃がし弁１６を備える。【選択図】図１
2020067261.tif 000002
【特許請求の範囲】
【請求項１】
１〜３価のアルコールを含む熱輸送媒体が流れる熱輸送媒体流路（１１）と、
前記熱輸送媒体に溶存する酸素を吸着する酸素吸着部（１５）と、
を備える熱輸送システム。
【請求項２】
前記酸素吸着部は、多孔性配位高分子からなる酸素吸着材（１５ａ）を備える請求項１に記載の熱輸送システム。
【請求項３】
前記多孔性配位高分子は、ヘテロ環を有する有機配位子を備える請求項２に記載の熱輸送システム。
【請求項４】
前記ヘテロ環を有する有機配位子は、ピラジン、アミノピラジン、メチルピラジン、キノキサリン、キナゾリン、ビピリジン、イミダゾールのいずれかである請求項３に記載の熱輸送システム。
【請求項５】
前記多孔性配位高分子は、シアノ基を有する有機配位子を備える請求項２ないし４のいずれか１つに記載の熱輸送システム。
【請求項６】
前記シアノ基を有する有機配位子は、テトラシアノエチレン、テトラシアノキノジメタンのいずれかである請求項５に記載の熱輸送システム。
【請求項７】
前記多孔性配位高分子は、周期表の第４族、第６族〜第１４族のいずれかに属する金属からなる金属イオンを含んでいる請求項２ないし６のいずれか１つに記載の熱輸送媒体。
【請求項８】
前記金属は、Ｔｉ、Ｍｎ、Ｆｅ、Ｃｏ、Ｎｉ、Ｃｒ、Ｃｕ、Ｚｎ、Ａｌ、Ｓｉ、Ｚｒ、Ｍｏのいずれかである請求項７に記載の熱輸送媒体。
【請求項９】
前記多孔性配位高分子は、担体に担持されている請求項２ないし８のいずれか１つに記載の熱輸送システム。
【請求項１０】
前記アルコールは、ＣＨ3（ＣＨ）nＯＨ（ｎは０〜２）である請求項１ないし９のいずれか１つに記載の熱輸送システム。
【請求項１１】
前記酸素吸着部は、前記酸素吸着部内の圧力が所定値を上回った場合に、前記酸素吸着部の内部と外部とを連通させる圧力逃がし弁（１６）を備える請求項１ないし１０のいずれか１つに記載の熱輸送システム。
【請求項１２】
前記酸素吸着部が設けられており、前記熱輸送媒体流路から熱輸送媒体が流入可能であり、流入した熱輸送媒体を前記熱輸送媒体流路に合流させる酸素吸着用流路（１７）と、
前記熱輸送媒体の溶存酸素量を検出する溶存酸素量検出部（２０）と、
前記酸素吸着用流路に前記熱輸送媒体を流入させるか否かを切り替える流路切替部（１８、１９）と、
を備え、
前記流路切替部は、前記熱輸送媒体の溶存酸素量が所定の基準値を下回った場合に、前記熱輸送媒体を前記酸素吸着用流路に流入させず、前記熱輸送媒体の溶存酸素量が前記基準値を上回った場合に、前記熱輸送媒体を前記酸素吸着用流路に流入させる請求項１ないし１１のいずれか１つに記載の熱輸送システム。
【発明の詳細な説明】
【技術分野】
【０００１】
本発明は、熱を輸送する熱輸送システムに関する。
【背景技術】
【０００２】
燃料電池車両においては、燃料電池で発生した熱を熱輸送媒体によって輸送し、系外に放出する熱輸送システムが設けられていることが多い。燃料電池のような電気化学装置の冷却に用いられる熱輸送媒体は、液絡や漏電を防止するために低導電性が要求される。
【０００３】
これに対し、特許文献１では、エチレングリコール水溶液又はプロピレングリコール水溶液を用い、イオン性の添加剤を排除し、安定化剤を用いて導電性の上昇を抑制することが提案されている。また、特許文献２では、導電率上昇の原因物質である冷却液中の不純物を一定濃度以下に管理することが提案されている。また、特許文献３では、熱輸送媒体の導電率を監視し、イオン交換膜によって導電性イオンを除去することで、導電率を一定値以下に管理することが提案されている
【先行技術文献】
【特許文献】
【０００４】
【特許文献１】特開２０１４−２０３７３９号公報
【特許文献２】特許第６１５４３６５号公報
【特許文献３】特公平４−２３１６７号公報
【発明の概要】
【発明が解決しようとする課題】
【０００５】
しかしながら、特許文献１のように添加物の導入によって導電率低下を図る場合には、添加量と導電率の管理が困難である。また、特許文献２のように冷却液の不純物濃度を低下させて導電率を管理する場合、あるいは特許文献３のようにイオン交換膜の導入によって導電率を管理する場合には、コスト高や防錆能の低下、システムの複雑化が問題となる。
【０００６】
本発明は上記点に鑑み、長時間使用しても低導電性を維持可能な熱輸送システムを提供することを目的とする。
【課題を解決するための手段】
【０００７】
上記目的を達成するため、請求項１に記載の発明では、１〜３価のアルコールを含む熱輸送媒体が流れる熱輸送媒体流路（１１）と、熱輸送媒体に溶存する酸素を吸着する酸素吸着部（１５）と、を備えることを特徴とする。
【０００８】
これにより、酸素吸着材によって熱輸送媒体に溶存した酸素を吸着させることができ、熱輸送媒体の溶存酸素量（酸素濃度）が上昇することを抑制できる。このため、熱輸送媒体の溶存酸素量を低く抑えることができ、熱輸送媒体に含まれる凝固点降下剤の酸化反応が進行することを抑制できる。この結果、熱輸送システムを長時間使用しても、熱輸送媒体の低導電性を維持することができる。
【０００９】
なお、上記各構成要素の括弧内の符号は、後述する実施形態に記載の具体的手段との対応関係を示すものである。
【図面の簡単な説明】
【００１０】
【図１】第１実施形態の熱輸送システムの概念図である。
【図２】図１の酸素吸着部を拡大した概念図である。
【図３】熱輸送媒体の溶存酸素量及び導電率を示す図表である。
【図４】第２実施形態の熱輸送システムの概念図である。
【図５】第２実施形態の酸素除去処理を示すフローチャートである。
【発明を実施するための形態】
【００１１】
以下、本発明の実施形態について図に基づいて説明する。なお、以下の各実施形態相互において、互いに同一もしくは均等である部分には、図中、同一符号を付してある。
【００１２】
（第１実施形態）
以下、本発明の第１実施形態について図面に基づいて説明する。図１に示すように、本実施形態の熱輸送システム１０は、熱輸送媒体流路１１を流れる熱輸送媒体によって、熱源１２の熱をラジエータ１３へ輸送するように構成されている。
【００１３】
熱輸送媒体流路１１は、閉回路を構成する環状の配管である。熱輸送媒体流路１１の内部には液体状態の熱輸送媒体が封入されており、熱輸送媒体が循環可能となっている。
【００１４】
熱輸送媒体は、凝固点降下剤を含んだ水溶液である。本実施形態では、凝固点降下剤として１〜３価のアルコールを用いている。凝固点降下剤として、特にＣＨ3（ＣＨ）nＯＨ（ｎは０〜２）からなるアルコールを用いることが望ましい。
【００１５】
熱源１２は、発熱体であり、熱輸送システム１０の冷却対象物である。本実施形態では、熱源１２として、電気化学反応が行われる電気化学装置を用いている。電気化学装置としては、例えば燃料電池、リチウムイオン電池等を用いることができる。
【００１６】
ラジエータ１３は、熱源１２から熱を受け取って高温となった熱輸送媒体と、外気とを熱交換させ、熱源１２で発生した熱を外部に放出する。これにより、熱源１２を冷却することができる。
【００１７】
熱輸送媒体流路１１には、熱輸送媒体を圧送するポンプ１４が設けられている。本実施形態では、熱輸送媒体はポンプ１４からラジエータ１３に向かう方向に熱輸送媒体流路１１を循環する。
【００１８】
熱輸送媒体に含まれる凝固点降下剤は、酸素の存在下で酸化反応が進行する。このため、本実施形態では、熱輸送媒体流路１１に、熱輸送媒体に溶存する酸素を吸着するための酸素吸着部１５が設けられている。酸素吸着部１５は、熱輸送媒体流路１１の上面に配置されている。
【００１９】
図２に示すように、酸素吸着部１５は、酸素吸着材１５ａが設けられている。酸素吸着部１５は下方が熱輸送媒体流路１１と連通しており、酸素吸着材１５ａは熱輸送媒体流路１１を流通する熱輸送媒体に接するように配置されている。
【００２０】
本実施形態では、酸素吸着材１５ａとして多孔性配位高分子（ＰＣＰ：Porous Coordination Polymers）を用いている。多孔性配位高分子は、金属イオンと有機配位子が配位結合で連続的につながった多孔性骨格構造を有している。多孔性配位高分子は大きな表面積とナノサイズの細孔を有しており、細孔のサイズを配位子となる分子のサイズで設計できるという特徴を有している。
【００２１】
本実施形態の酸素吸着材１５ａは粒状体であり、担体に担持されている。酸素吸着材１５ａの担体は、任意の材料を用いることができるが、強度の面からガラス繊維を用いることが望ましい。また、担体を不織布のような空隙率が高い構造とすることで、酸素吸着材１５ａと熱輸送媒体との接触面積を大きくすることができる。
【００２２】
多孔性配位高分子は、酸素吸着性能を高くするために、ヘテロ環を有する有機配位子及びシアノ基を有する有機配位子の少なくともいずれかを備えていることが望ましい。多孔性配位高分子は、ヘテロ環を有する有機配位子と、シアノ基を有する有機配位子の両方を備えていてもよく、あるいはヘテロ環を有する有機配位子及びシアノ基を有する有機配位子の一方のみを備えていてもよい。
【００２３】
多孔性配位高分子を構成する金属イオンは、周期表の第４族、第６族〜第１４族のいずれかに属する金属を用いることができ、特にＴｉ、Ｍｎ、Ｆｅ、Ｃｏ、Ｎｉ、Ｃｒ、Ｃｕ、Ｚｎ、Ａｌ、Ｓｉ、Ｚｒ、Ｍｏのいずれかの金属を用いることが望ましい。
【００２４】
ヘテロ環を有する有機配位子としては、例えばピラジン、アミノピラジン、メチルピラジン、キノキサリン、キナゾリン、ビピリジン、イミダゾールのいずれかを用いることができる。シアノ基を有する有機配位子としては、例えばＴＣＮＥ（テトラシアノエチレン）、ＴＣＮＱ（テトラシアノキノジメタン）のいずれかを用いることができる。
【００２５】
ヘテロ環を有する多孔性配位高分子としては、例えばＺＩＦ−１、ＺＩＦ−８、ＺＩＦ−６５、ＺＩＦ−６７、ＣＰＬ−１、ＣＰＬ−２のいずれかを用いることができる。ＺＩＦ−１、ＺＩＦ−８は、Ｚｎとイミダゾールからなる多孔性配位高分子である。ＺＩＦ−６５、ＺＩＦ−６７は、Ｃｏとイミダゾールからなる多孔性配位高分子である。ＣＰＬ−１、ＣＰＬ−２は、Ｃｕピラジン−２，３−ジカルボン酸とピラジンからなる多孔性配位高分子である。
【００２６】
シアノ基を有する３次元構造体は、プルシアンブルーに代表される。シアノ基を有する多孔性配位高分子としては、例えばＦｅ（ｐｙｒｉｄｉｎｅ）Ｎｉ（ＣＮ）4を用いることができる。
【００２７】
ヘテロ環とシアノ基を同時に有する多孔性配位高分子としては、例えばＺｎ（ＴＣＮＱ）2（ｂｉｐｙｒｉｄｉｎｅ）−１，５ｂｅｎｚｅｎｅ、Ｚｎ（ｂｉｐｙｒｉｄｉｎｅ）3［ＴＣＮＱ］−３Ｈ2Ｏのいずれかを用いることができる。
【００２８】
熱輸送システムの使用を継続すると、酸素吸着部１５では、酸素吸着材１５ａで吸着した酸素が脱離することと、熱輸送媒体から凝固点降下剤が揮発することによって圧力が高くなる。このため、図１に示すように、酸素吸着部１５には、圧力逃がし弁１６が設けられている。圧力逃がし弁１６は、酸素吸着部１５の上部に設けられている。
【００２９】
圧力逃がし弁１６は、酸素吸着部１５内の圧力が所定圧力を下回ると閉鎖し、酸素吸着部１５内の圧力が所定圧力を上回ると開放する。酸素吸着材１５ａは、吸着した酸素を脱離することで、酸素吸着能力を再生することができる。
【００３０】
ここで、本実施形態の酸素吸着材１５ａの酸素吸着能力を実施例及び比較例を用いて説明する。図３に示す実施例１、２及び比較例１〜４では、熱輸送媒体として、プロパノール５０％、蒸留水５０％のプロパノール水溶液を用いた。図３は、熱輸送媒体の溶存酸素量及び導電率の各初期値と、熱輸送媒体を２０℃で２００時間撹拌した後の溶存酸素量及び導電率を示している。
【００３１】
実施例１では、酸素吸着材１５ａとしてヘテロ環とシアノ基を有する多孔性配位高分子であるＺｎ（ｂｉｐｙｒｉｄｉｎｅ）3［ＴＣＮＱ］−３Ｈ2Ｏを用いた。実施例２では、酸素吸着材１５ａとしてヘテロ環を有する多孔性配位高分子であるＺＩＦ−８を用いた。実施例１、２では、ガラス繊維の不織布に担持させた酸素吸着材１５ａを熱輸送媒体に浸漬させた状態で、熱輸送媒体の溶存酸素量及び導電率を測定した。実施例１、２では、ポリビニルアルコールをバインダとして用い、担持量を約８０ｗｔ％とした。
【００３２】
比較例１では、酸素吸着材を用いることなく、熱輸送媒体の溶存酸素量及び導電率を測定した。比較例２では、市販の鉄系脱酸素剤であるエージレスＦＸ（三菱ガス化学株式会社の商品名）を熱輸送媒体に浸漬させた状態で、熱輸送媒体の溶存酸素量及び導電率を測定した。比較例３では、Ｃｕとトリメシン酸からなる配位高分子であるＣｕ：ＢＴＣ（ベンゼントリカルボン酸）を熱輸送媒体に浸漬させた状態で、熱輸送媒体の溶存酸素量及び導電率を測定した。比較例４では、Ｚｎと２−メチルイミダゾールからなる配位高分子であるＢｉｏ−ＭＯＦ−１１を熱輸送媒体に浸漬させた状態で、熱輸送媒体の溶存酸素量及び導電率を測定した。
【００３３】
実施例１の酸素溶存量は、初期値８．６ｍｇ／Ｌから２００時間経過後には５．２ｍｇ／Ｌになった。実施例１の多孔性配位高分子はヘテロ環及びシアノ基を有していることから酸素吸着性に優れており、酸素濃度を効果的に低減させることができている。
【００３４】
実施例１の導電率は、初期値２．２μＳ／ｃｍから２００時間経過後には３．０μＳ／ｃｍになった。実施例１の多孔性配位高分子は、酸素濃度を低く維持できることに加え、水に対する安定性に優れている。このため、イオン生成を抑制でき、導電率の上昇を効果的に抑えることができている。
【００３５】
実施例２の酸素溶存量は、初期値８．８ｍｇ／Ｌから２００時間経過後には６．５ｍｇ／Ｌになった。実施例２の多孔性配位高分子はヘテロ環を有しており、酸素吸着性に優れている。このため、実施例２では、実施例１に比べて酸素濃度の低減効果がわずかに低いものの、酸素濃度を効果的に低減させることができている。
【００３６】
実施例２の導電率は、初期値２．２μＳ／ｃｍから２００時間経過後には５．１μＳ／ｃｍになった。実施例２では、実施例１に比べて導電率の上昇を抑える効果がわずかに低いものの、導電率の上昇を効果的に抑えることができている。
【００３７】
比較例１の酸素溶存量は、初期値８．９ｍｇ／Ｌから２００時間経過後には１１．５ｍｇ／Ｌになった。酸素吸着材を用いていない比較例１では、熱輸送媒体中の酸素が吸着されないため、酸素濃度が高くなっている。
【００３８】
比較例１の導電率は、初期値２．２μＳ／ｃｍから２００時間経過後には１５．５μＳ／ｃｍになった。比較例１では、熱輸送媒体中の酸素濃度が高くなったことで凝固点降下剤の酸化反応が進行し、生成した有機酸がイオン化して導電率が上昇したものと推測される。
【００３９】
比較例２の酸素溶存量は、初期値８．６ｍｇ／Ｌから２００時間経過後には７．２ｍｇ／Ｌになった。比較例２では、鉄系脱酸素剤によって熱輸送媒体中の酸素濃度が低減している。
【００４０】
比較例２の導電率は、初期値２．１μＳ／ｃｍから２００時間経過後には１０．５μＳ／ｃｍになった。比較例２では、鉄系脱酸素剤の一部が分解してイオンが生成し、導電率が上昇したものと推測される。
【００４１】
比較例３の酸素溶存量は、初期値８．７ｍｇ／Ｌから２００時間経過後には１０．８ｍｇ／Ｌになった。比較例３では、ベンゼン環及びカルボニル基からなるトリメシン酸が酸素吸着性に乏しいため、酸素濃度が上昇したものと推測される。
【００４２】
比較例３の導電率は、初期値２．２μＳ／ｃｍから２００時間経過後には９２０μＳ／ｃｍになった。比較例３の配位高分子は水に対する安定性が低いため、分解したＣｕイオンやトリメシン酸からもたらされたプロトンによって導電率が大幅に上昇したと推測される。
【００４３】
比較例４の酸素溶存量は、初期値９．０ｍｇ／Ｌから２００時間経過後が８．８ｍｇ／Ｌになった。比較例４では、イミダゾールが酸素吸着性に寄与して酸素濃度が低減したと推測される。
【００４４】
比較例４の導電率は、初期値２．２μＳ／ｃｍから２００時間経過後には４４０μＳ／ｃｍになった。比較例４の配位高分子は水に対する安定性が低いため、一部が分解してイオンが生成され、導電率が大幅に上昇したと推測される。
【００４５】
以上説明した本実施形態によれば、酸素吸着材１５ａを備える酸素吸着部１５を設けることで、酸素吸着材１５ａによって熱輸送媒体に溶存した酸素を吸着させることができ、熱輸送媒体の溶存酸素量が上昇することを抑制できる。これにより、熱輸送媒体の溶存酸素量を低く抑えることができ、熱輸送媒体に含まれる凝固点降下剤の酸化反応が進行することを抑制できる。この結果、熱輸送システムを長時間使用しても、熱輸送媒体の低導電性を維持することができ、電気化学装置からなる熱源１２の冷却に熱輸送媒体を用いても、液絡や漏電を防止できる。
【００４６】
また、本実施形態では、酸素吸着材１５ａとして用いている多孔性配位高分子は、ヘテロ環及びシアノ基を有する有機配位子を備えている。ヘテロ環及びシアノ基の少なくともいずれか有する多孔性配位高分子は、高い酸素吸着性能を有している。このため、熱輸送媒体に溶存した酸素を効果的に吸着でき、酸素吸着能力を長期間に渡って維持することが可能となる。
【００４７】
また、本実施形態では、凝固点降下剤としてＣＨ3（ＣＨ）nＯＨ（ｎは０〜２）からなるアルコールを用いている。このようなアルコールを含む熱輸送媒体を用いた場合には、ヘテロ環及びシアノ基の少なくともいずれか有する多孔性配位高分子からなる酸素吸着材１５ａによって効果的に酸素を吸着することができる。
【００４８】
また、凝固点降下剤としてＣＨ3（ＣＨ）nＯＨ（ｎは０〜２）からなるアルコールを用いることで、熱輸送媒体の粘度を低くすることができる。このため、低温環境下においても、熱輸送媒体の粘度を低く維持することができる。
【００４９】
また、本実施形態では、酸素吸着材１５ａを備える酸素吸着部１５に圧力逃がし弁１６を設けている。これにより、揮発した凝固点降下剤とともに酸素吸着材１５ａで吸着した酸素を排出することができ、継続的に酸素吸着材１５ａの酸素吸着能力を発揮させることができる。
【００５０】
また、本実施形態では、酸素吸着材１５ａをガラス繊維の不織布からなる担体に担持している。これにより、酸素吸着材１５ａと熱輸送媒体との接触面積を大きくすることができ、熱輸送媒体に溶存する酸素の吸着効率を向上させることができる。
【００５１】
また、本実施形態では、ラジエータ１３で冷却された熱輸送媒体が酸素吸着部１５に供給される。このため、冷却によって熱輸送媒体の酸素濃度が高くなり、酸素吸着部１５における酸素吸着効率を向上させることができる。
【００５２】
（第２実施形態）
次に、本発明の第２実施形態について説明する。以下、上記第１実施形態と異なる部分についてのみ説明する。
【００５３】
図４に示すように、本第２実施形態の熱輸送システム１０では、熱輸送媒体流路１１に酸素吸着用流路１７が分岐するように設けられている。酸素吸着用流路１７は、熱輸送媒体流路１１と２箇所で接続している。熱輸送媒体流路１１から酸素吸着用流路１７に熱輸送媒体が流入可能であり、酸素吸着用流路１７に流入した熱輸送媒体は、酸素吸着用流路１７を通過した後で酸素吸着用流路１７に合流する。
【００５４】
酸素吸着用流路１７には、酸素吸着部１５が設けられている。本第２実施形態の酸素吸着部１５には、圧力逃がし弁１６が設けられていない。
【００５５】
熱輸送媒体流路１１と酸素吸着用流路１７との接続点には、流路切替弁１８、１９が設けられている。流路切替弁１８、１９は、酸素吸着用流路１７に熱輸送媒体を流入させるか否かを切り替える流路切替部である。
【００５６】
流路切替弁１８、１９の開度を調整することで、酸素吸着用流路１７を流れる熱輸送媒体の流量を調整することができる。流路切替弁１８、１９が閉鎖されている場合には、酸素吸着用流路１７に熱輸送媒体が流れず、酸素吸着部１５に熱輸送媒体が供給されない。流路切替弁１８、１９の開度を大きくするほど、酸素吸着用流路１７に流れる熱輸送媒体の流量が増加し、酸素吸着部１５への熱輸送媒体の供給量が増加する。
【００５７】
熱輸送媒体流路１１には、熱輸送媒体の溶存酸素量（酸素濃度）を検出する溶存酸素量検出部２０が設けられている。溶存酸素量検出部２０の検出信号は、制御装置２１に入力する。
【００５８】
熱輸送システム１０には、制御装置２１が設けられている。制御装置２１は、ＣＰＵ、ＲＯＭおよびＲＡＭ等を含む周知のマイクロコンピュータとその周辺回路から構成されている。そして、そのＲＯＭ内に記憶された空調制御プログラムに基づいて各種演算、処理を行い、その出力側に接続された各種制御対象機器の作動を制御する。
【００５９】
本第２実施形態では、溶存酸素量検出部２０からの検出信号に基づいて流路切替弁１８、１９の切り替え制御を行う。制御装置２１は、熱輸送媒体の溶存酸素量に基づいて流路切替弁１８、１９の開度を調整することができる。例えば溶存酸素量が多いほど、流路切替弁１８、１９の開度を大きくすることができる。これにより、溶存酸素量が多いほど、酸素吸着部１５に供給される熱輸送媒体の流量が増加し、酸素吸着部１５における酸素吸着量を増加させることができる。
【００６０】
ここで、本第２実施形態の熱輸送システムの酸素除去処理を図５のフローチャートを用いて説明する。運転開始後は、流路切替弁１８、１９は閉鎖しており、熱輸送媒体は酸素吸着用流路１７に流れず、熱輸送媒体は酸素吸着部１５に供給されない。
【００６１】
まず、Ｓ１０で溶存酸素量検出部２０によって熱輸送媒体の溶存酸素量を検出する。続いて、Ｓ１１で熱輸送媒体の溶存酸素量が基準値を上回っているか否かを判定する。
【００６２】
Ｓ１１の判定処理で、溶存酸素量が基準値を上回っていないと判定された場合には、Ｓ１０の処理に戻る。一方、Ｓ１１の判定処理で、溶存酸素量が基準値を上回っていると判定された場合には、Ｓ１２で流路切替弁１８、１９を開放する。これにより、熱輸送媒体が酸素吸着用流路１７に流れ、熱輸送媒体は酸素吸着部１５に供給される。
【００６３】
Ｓ１２で熱輸送媒体の流路切替が行われた後、Ｓ１３で溶存酸素量検出部２０によって熱輸送媒体の溶存酸素量を検出する。続いて、Ｓ１４で熱輸送媒体の溶存酸素量が減少したか否かを判定する。
【００６４】
Ｓ１４の判定処理で、溶存酸素量が減少したと判定された場合には、酸素吸着部１５が酸素吸着性能を発揮できていると判断でき、Ｓ１５で熱輸送媒体の溶存酸素量が基準値を下回っているか否かを判定する。
【００６５】
Ｓ１５の判定処理で、溶存酸素量が基準値を下回っていないと判定された場合には、Ｓ１３の処理に戻る。これにより、酸素吸着部１５による酸素吸着が継続して行われる。
【００６６】
一方、Ｓ１５の判定処理で、溶存酸素量が基準値を下回っていると判定された場合には、Ｓ１６で流路切替弁１８、１９を閉鎖する。これにより、熱輸送媒体は酸素吸着用流路１７に流れず、熱輸送媒体は酸素吸着部１５に供給されない。その後、Ｓ１０の処理に戻る。
【００６７】
Ｓ１４の判定処理で、溶存酸素量が減少していないと判定された場合には、Ｓ１７で溶存酸素量が増加しているか否かを判定する。Ｓ１７の判定処理で、溶存酸素量が増加していないと判定された場合には、溶存酸素量が変化していないと判断できる。このため、Ｓ１３の処理に戻る。
【００６８】
一方、Ｓ１７の判定処理で、溶存酸素量が増加していると判定された場合には、酸素吸着部１５が酸素吸着性能を発揮できていないと判断できる。このため、Ｓ１８で流路切替弁１８、１９を閉鎖して熱輸送媒体の流路を酸素吸着部１５に供給されない第１の流路（熱輸送媒体流路１１）に切り替え、Ｓ１９で警告表示を行う。Ｓ１９の警告表示は、図示しない表示装置で酸素吸着部１５に関する異常が発生した旨のメッセージを表示するようにすればよい。
【００６９】
以上説明した本第２実施形態によれば、熱輸送媒体の溶存酸素量が少ない場合は、熱輸送媒体を酸素吸着部１５に供給せず、熱輸送媒体の溶存酸素量が多くなった場合に、熱輸送媒体を酸素吸着部１５に供給する。このため、熱輸送媒体中の酸素を吸着する必要性が低い場合は、熱輸送媒体が酸素吸着部１５に流れないため、酸素吸着部１５によって圧力損失が高くなることを防止できる。
【００７０】
（他の実施形態）
本発明は上述の実施形態に限定されることなく、本発明の趣旨を逸脱しない範囲内で、以下のように種々変形可能である。また、上記各実施形態に開示された手段は、実施可能な範囲で適宜組み合わせてもよい。
【００７１】
（１）上記実施形態では、酸素吸着材１５ａをガラス繊維からなる不織布に担持して用いたが、酸素吸着材１５ａの担体としてガラス繊維以外の材料を用いてもよく、また、酸素吸着材１５ａの担体として不織布以外の構造体を用いてもよい。
【００７２】
また、酸素吸着材１５ａを担体に担持することなく用いてもよい。
【００７３】
（２）上記第２実施形態の酸素吸着部１５に、上記第１実施形態の圧力逃がし弁１６を設けてもよい。
【符号の説明】
【００７４】
１１        熱輸送媒体流路
１５        酸素吸着部
１５ａ      酸素吸着材
１６        圧力逃がし弁
１７        酸素吸着用流路
１８、１９  流路切替弁（流路切替部）
２０        溶存酸素量検出部
２１        制御装置
【図１】
2020067261.tif 000003
【図２】
2020067261.tif 000004
【図３】
2020067261.tif 000005
【図４】
2020067261.tif 000006
【図５】
2020067261.tif 000007